【事件の表示】
　特願２０１７−１５２５５３「マッサージ機」拒絶査定不服審判事件〔平成２９年１０月２６日出願公開、特開２０１７−１９２８６１、請求項の数（１）〕について、次のとおり審決する。
【結　論】
　原査定を取り消す。
　本願の発明は、特許すべきものとする。
【理　由】
第１　手続の経緯
　本願は、平成２４年８月３１日に出願した特願２０１２−１９０７７０号の一部を、平成２８年３月１日に新たな特許出願とした特願２０１６−０３９１７２号の一部を、平成２９年８月７日に新たな特許出願としたものであって、平成２９年８月７日付けで手続補正がされ、平成３０年５月８日付けで拒絶理由通知がされ、平成３０年６月２１日付けで手続補正がされ、平成３０年１０月１６日付けで拒絶理由通知がされ、平成３０年１２月４日付けで手続補正がされ、令和元年５月１０日付けで拒絶査定（以下、「原査定」という。）がされ、これに対し、令和元年７月１７日に拒絶査定不服審判の請求がされたものである。
第２　原査定の概要
　原査定の概要は次のとおりである。
　本願の請求項１に係る発明は、以下の引用文献１、２に記載された発明に基いて、その発明の属する技術の分野における通常の知識を有する者（以下、「当業者」という。）が容易に発明をすることができたものであるから、特許法第２９条第２項の規定により特許を受けることができない。
引用文献等一覧
１． 特開２００９−２８５０７４号公報
２． 特開２００１−０２９４１３号公報
第３　本願発明
　本願の請求項１に係る発明（以下、「本願発明１」という。）は、平成３０年１２月４日付けの手続補正により補正された特許請求の範囲の請求項１に記載された事項により特定されるとおりの、以下に示すとおりのものである。
「【請求項１】
　人体の大腿を支持する座部と、人体の左右の下腿をそれぞれ収容する下腿収容部を有したオットマンを備えたマッサージ機であって、
　前記座部の左右両外側部に、膨張収縮して人体の大腿の外側部をマッサージする大腿外側エアバッグを有するとともに、
　前記オットマンの下腿収容部に、膨張収縮して人体の下腿の内側部をマッサージする下腿内側エアバッグを少なくとも有し、
　前記大腿外側エアバッグからのエア開放が開始してから所定時間が経過する時までは前記下腿内側エアバッグからエアを開放しないように制御する
　マッサージ機。」
第４　引用文献、引用発明等
１．引用文献１について
　原査定の拒絶の理由に引用された上記引用文献１には、図面とともに次の事項が記載されている。
「【００１９】
以下、本発明の実施の形態に係る椅子型マッサージ機について、図面を参照しつつ具体的に説明する。図１は、本発明の実施の形態に係る椅子型マッサージ機の全体構成を示す斜視図である。この図１に示すように、椅子型マッサージ機１は、被施療者が着座する座部２と、被施療者の上半身を後方から支持する背凭れ部３と、被施療者の腕部を支持するアームレスト４と、被施療者の脚部を支持するフットレスト５とから主として構成されている。」
「【００２９】
座部２の両側部の上方には、前後に並設されたエアセル７ｂ，７ｂが設けられており、給排気装置５１からの給気により何れも左右方向の中心側へ向かって膨張する。このようなエアセル７ｂは、膨縮することによって、座部２に着座した被施療者の臀部（又は腰部）の側部から大腿部の前側部に至る一連の部位を外側方から内側へ向かって押圧可能であり、左右のエアセル７ｂを同時に膨張することによって臀部（又は腰部）を左右から挟持するようにして保持可能になっている。」
「【００３４】
図１に示すように、フットレスト５にも複数のエアセル７ｉ-７ｏが設けられている。具体的には、上側フットレスト１４において脹脛の背面に対向する位置にはエアセル７ｉが上下に２つ設けられ、脹脛の外側面に対向する位置にはエアセル７ｊが上下に２つ設けられ、脹脛の内側面に対向する位置には上下方向に長寸のエアセル７ｋが１つ設けられている。これらのエアセル７ｉ-７ｋにより、被施療者の脹脛の後方及び両側方から押圧可能になっている。」
　したがって、上記引用文献１には次の発明が記載されていると認められる。
「被施療者が着座する座部２と、被施療者の脚部を支持するフットレスト５とを備えた椅子型マッサージ機１であって、座部２の両側部の上方には、膨縮することによって、座部２に着座した被施療者の臀部の側部から大腿部の前側部に至る一連の部位を外側方から内側へ向かって押圧可能なエアセル７ｂ，７ｂが設けられており、フットレスト５の上側フットレスト１４の脹脛の内側面に対向する位置には上下方向に長寸のエアセル７ｋが設けられているマッサージ機１。」（以下、「引用発明」という。）
２．引用文献２について
　原査定の拒絶の理由に引用された上記引用文献２には、図面とともに次の事項が記載されている。
「【００１０】
【発明の実施の形態】以下本発明を実施の形態の一例に基づいて詳述すると、図示例のマッサージ機は、座部６とリクライニング自在とされている背もたれ８と、アームレストを兼ねたフレーム７とからなる椅子型のもので、その背もたれ８内には指圧マッサージを行うマッサージ手段（図示せず）を内蔵している。また、座部６の前方には脚載せ台４が配設されている。この脚載せ台４は、椅子のフレーム７にレイジィトング機構である伸縮機構５を介して取りつけられたもので、不使用時には伸縮機構５を縮めることで、座部６の下方に収納してしまうことができるようになっている。
【００１１】そして、座部６の上面の前端寄りの左右には、それぞれ大腿部のマッサージ用の空気袋２，２を配置し、座部６の上面の後端寄りの左右には、それぞれ臀部のマッサージ用の空気袋３，３を配置し、脚載せ台４にはふくらはぎ部のマッサージ用の空気袋１，１をそれぞれ配置してある。
【００１２】ここで、脚載せ台４に設けた空気袋１，１は、脚載せ台１のフレームから吊り下げられることで断面Ｕ字形をなすものとなっており、その凹溝部分にふくらはぎ部を納めて空気袋１を膨張させれば、ふくらはぎ部は左右から圧迫されるものとなっている。
【００１３】そして、これら空気袋１，２，３は、給排気手段９にチューブ１０で接続されて、給排気手段９によってその膨張収縮がなされるようにしているのであるが、この時、これら空気袋１，２，３に対する給排気は、図３に示すタイミングで行われるように（図中○は給気、△は保持、×は排気）してある。
【００１４】すなわち、まず脚載せ台４の空気袋１を膨張させ、次いで大腿部用の空気袋２を膨張させ、その後、臀部用の空気袋３を膨張させ、最後に全空気袋１，２，３を収縮させるのである。膨張させた空気袋１，２は、最後の同時収縮の時点まで膨張状態を維持するようにしてある。これは、空気袋１，２，３の膨張が静脈内の血液を心臓に向かう方向へ送ることができるようにしているためである。」
「【００１７】図４及び図５に他例を示す。ここでは座部６に配した２個の空気袋３，３を人体の大腿部から臀部にかけての部分に接して膨張時に下方から押圧するものとしてあり、またこれら空気袋３，３の両側には膨張時に人体の大腿部から臀部にかけての部分を側方から押圧することになる空気袋３０，３０を配してある。なお、空気袋３０，３０の外側面には硬質合成樹脂等からなるバックアッププレート３１を配してあり、該空気袋３０，３０は、上記空気袋３，３と同時に、あるいは少しだけ早く膨張するように給排気タイミングを設定してある。図５中のＭは背もたれ８内を背もたれに沿って上下移動自在となっているマッサージ機構、Ｃは操作器である。」
　したがって、上記引用文献２には、
「ふくらはぎ部のマッサージ用の空気袋１，１と、大腿部のマッサージ用の空気袋２，２と、臀部のマッサージ用の空気袋３，３と、人体の大腿部から臀部にかけての部分を側方から押圧することになる空気袋３０，３０とを備えたマッサージ機において、脚載せ台４の空気袋１を膨張させ、次いで大腿部用の空気袋２を膨張させ、その後、臀部用の空気袋３を膨張させ、最後に全空気袋１，２，３を収縮させるように給排気タイミングが設定されており、空気袋３０，３０は、上記空気袋３，３と同時に、あるいは少しだけ早く膨張するように給排気タイミングを設定してあるマッサージ機。」という技術的事項（以下、「引用文献２に記載された技術的事項」という。）が記載されていると認められる。
第５　対比・判断
１．本願発明１について
（１）対比
　本願発明１と引用発明とを対比すると、次のことがいえる。
　引用発明における「座部２」は、本願発明における「座部」に相当する。以下、同様に、引用発明における「フットレスト５」は、「オットマン」に、「椅子型マッサージ機１」は「マッサージ機」に相当する。
　さらに、引用発明における「座部２」は、その機能から見て「人体の大腿を支持」しているものといえる。そして、引用発明における「フットレスト５」は、人体の左右の下腿をそれぞれ収容する下腿収容部を有しているといえる。
　次に、「エアセル７ｂ，７ｂ」に関し、「座部２の両側部の上方」との記載より、「エアセル７ｂ，７ｂ」が設けられている位置は、「座部２の左右両外側部」であって、「膨縮することによって、座部２に着座した被施療者の臀部の側部から大腿部の前側部に至る一連の部位を外側方から内側へ向かって押圧可能」との記載より、「エアセル７ｂ，７ｂ」は、「膨張収縮して人体の大腿の外側部をマッサージする」ものであるといえる。したがって、引用発明における「座部２に着座した被施療者の臀部の側部から大腿部の前側部に至る一連の部位を外側方から内側へ向かって押圧可能なエアセル７ｂ，７ｂ」は、本願発明における「膨張収縮して人体の大腿の外側部をマッサージする大腿外側エアバッグ」に相当する。
　そして、「エアセル７ｋ」に関し、「フットレスト５の上側フットレスト１４の脹脛の内側面に対向する位置」との記載から、「エアセル７ｋ」が設けられている位置は、「フットレスト５の下腿収容部」であって、「エアセル７ｋ」は、「膨張収縮して人体の下腿の内側部をマッサージする」ものであるといえる。したがって、引用発明における「上下方向に長寸のエアセル７ｋ」は、本願発明１における「膨張収縮して人体の下腿の内側部をマッサージする下腿内側エアバッグ」に相当する。
　してみると、本願発明１と引用発明との間には、次の一致点、相違点があるといえる。
（一致点）
「人体の大腿を支持する座部と、人体の左右の下腿をそれぞれ収容する下腿収容部を有したオットマンを備えたマッサージ機であって、
　前記座部の左右両外側部に、膨張収縮して人体の大腿の外側部をマッサージする大腿外側エアバッグを有するとともに、
　前記オットマンの下腿収容部に、膨張収縮して人体の下腿の内側部をマッサージする下腿内側エアバッグを少なくとも有したマッサージ機。」
（相違点）
　本願発明１においては、大腿外側エアバッグからのエア開放が開始してから所定時間が経過する時までは下腿内側エアバッグからエアを開放しないように制御するのに対し、引用発明においては、そのような制御を行っていない点。
（２）相違点についての判断
　上記相違点について検討する。「第４　引用文献、引用発明等」の「２．引用文献２について」に記載のとおり、引用文献２には、「ふくらはぎ部のマッサージ用の空気袋１，１と、大腿部のマッサージ用の空気袋２，２と、臀部のマッサージ用の空気袋３，３と、人体の大腿部から臀部にかけての部分を側方から押圧することになる空気袋３０，３０とを備えたマッサージ機において、脚載せ台４の空気袋１を膨張させ、次いで大腿部用の空気袋２を膨張させ、その後、臀部用の空気袋３を膨張させ、最後に全空気袋１，２，３を収縮させるように給排気タイミングが設定されており、空気袋３０，３０は、上記空気袋３，３と同時に、あるいは少しだけ早く膨張するように給排気タイミングを設定してあるマッサージ機。」という技術的事項が記載されている。
　しかしながら、引用文献２の段落【００１３】、【００１４】、【００１７】、【図３】から把握されるように、空気袋１，２，３，３０の給気のタイミングを異ならせることは記載されているものの、膨張後のエア開放のタイミングについては、【図３】の排気を示す「×」印から把握されるように、空気袋１，２，３の間で同じタイミングであると認められる。また、ふくらはぎ部のマッサージ用の空気袋１，１の排気タイミングと大腿部を側方から押圧する空気袋３０，３０の排気タイミングとの関係は、何等記載されていない。してみると、引用発明において、仮に、引用文献２に記載の技術的事項を適用したとしても、「大腿外側エアバッグからのエア開放が開始してから所定時間が経過する時までは下腿内側エアバッグからエアを開放しないように制御」するものとはならない。また、「大腿外側エアバッグからのエア開放が開始してから所定時間が経過する時までは下腿内側エアバッグからエアを開放しないように制御」する制御手法が、本願出願前に周知の制御手法であったと言える証拠も見当たらない。
　そして、本願発明１は、「大腿外側エアバッグからのエア開放が開始してから所定時間が経過する時までは下腿内側エアバッグからエアを開放しないように制御」することにより、大腿外側エアバッグからのエア開放が開始してから所定時間が経過するまでの間、下腿の内側を強固に支え続けることができるという本願明細書記載の効果を奏するものである。
　したがって、本願発明１は、引用発明及び引用文献２に記載された技術的事項に基いて当業者が容易に発明をすることができたものとはいえない。
第６　むすび
　以上のとおり、本願発明１は、引用発明及び引用文献２に記載された技術的事項に基いて当業者が容易に発明をすることができたものではない。
　したがって、原査定の理由によっては、本願を拒絶することはできない。
　また、他に本願を拒絶すべき理由を発見しない。
　よって、結論のとおり審決する。